(57)【要約】【課題】  工具を取付孔を介して簡単に連結したり連結を外したりすることができ、しかも、不測に外れるおそれなく工具を確実に連結しておくことができる工具の落下防止具を提供する。【解決手段】  作業者側の第１フック具５と、工具４側の第２フック具６と、これらを連結する索条部材８とを備えた工具の落下防止具において、第２フック具６と工具４との間に介在されるロックリング４１が設けられ、ロックリング４１は、工具４に設けた取付孔１６に挿入可能な一対のフック部４５を有し、一対のフック部４５は、その先端部４５ａ同士が閉じてリング状になる閉鎖状態Ｘと先端部４５ａ同士が離間して開く開放状態Ｙとに開閉自在であって、ロックリング４１に第２フック具６を係合すると閉鎖状態Ｘにロックされるように、互いに連結されている。【選択図】図１
2018001360.tif 000002
【特許請求の範囲】
【請求項１】
作業者側に連結される第１フック具（５）と、工具（４）側に連結される第２フック具（６）と、第１フック具（５）と第２フック具（６）とを連結する索条部材（８）とを備えた工具の落下防止具において、
前記第２フック具（６）と工具（４）との間に介在されるロックリング（４１）が設けられ、ロックリング（４１）は、工具（４）に設けた取付孔（１６）に挿入可能な一対のフック部（４５）を有し、一対のフック部（４５）は、その先端部（４５ａ）同士が閉じてリング状になる閉鎖状態（Ｘ）と先端部（４５ａ）同士が離間して開く開放状態（Ｙ）とに開閉自在であって、ロックリング（４１）に第２フック具（６）を係合すると閉鎖状態（Ｘ）にロックされるように、互いに連結されていることを特徴とする工具の落下防止具。
【請求項２】
作業者側に連結される第１フック具（５）と、工具（４）側に連結される第２フック具（６）と、第１フック具（５）と第２フック具（６）とを連結する索条部材（８）とを備えた工具の落下防止具において、
前記第２フック具（６）と工具（４）との間に介在されるロックリング（４１）が設けられ、ロックリング（４１）は、工具（４）に設けた取付孔（１６）に挿入可能なフック部（４５）とフック部（４５）の基部側に設けた枢支部（４６）と枢支部（４６）から突出した連動部（４７）とを有する一対のリング構成体（４３）を備え、一対のリング構成体（４３）のフック部（４５）は互いに逆方向に折曲する円弧状に形成され、一対の連動部（４７）に挿通孔（４８）が対応して設けられており、
一対のフック部（４５）が、その先端部（４５ａ）同士が重合してリング状になる閉鎖状態（Ｘ）と先端部（４５ａ）同士が離間して開く開放状態（Ｙ）とに開閉し、かつ一対の連動部（４７）の挿通孔（４８）に第２フック具（６）を係合すると閉鎖状態（Ｘ）にロックされるように、前記枢支部（４６）同士が支軸（５０）廻りに揺動自在に枢支されていることを特徴とする工具の落下防止具。
【請求項３】
前記一対のリング構成体（４３）は、ステンレスによりそれぞれ板状に形成されており、一対の枢支部（４６）同士が板厚方向に重合されて支軸（５０）廻りに揺動自在に枢支されていることを特徴とする請求項２に記載の工具の落下防止具。
【請求項４】
前記索条部材（８）は、伸縮自在の螺旋コードで構成され、前記第２フック具（６）は、フック（１７）とフック（１７）の開口部を開閉自在に閉鎖する閉鎖片（１８）とを有する具本体（２０）と、具本体（２０）に連結された連結リング（２２）とを備え、連結リング（２２）が索条部材（８）の端部に連結され、フック（１７）を前記ロックリング（４１）に係合すると、閉鎖片（１８）でフック（１７）の開口部が閉鎖されるように構成されていることを特徴とする請求項１〜３のいずれかに記載の工具の落下防止具。
【発明の詳細な説明】
【技術分野】
【０００１】
本発明は、工具が作業者側から落下するのを防止するようにした工具の落下防止具に関するものである。
【背景技術】
【０００２】
工具が落下するのを防止するようにした工具の落下防止具には、作業者の腰ベルトに連結される第１フック具と、工具側に連結される第２フック具と、第１フック具と第２フック具とを連結する伸縮自在の螺旋コード等の索条部材とを備えたものがある。
この種の従来の工具の落下防止具には、第２フック具と工具との間に介在される２重リングを設けたものがあり、２重リングは、弾性線材を２重の円形のリング状に形成してなるものであり、工具に設けた取付孔にその端部から入れて挿入係合し、この２重リングに第２フック具を係合するようにしている（例えば特許文献１，２）。
【０００３】
また、他の従来の工具の落下防止具には、第２フック具と工具との間に介在されるワイヤ環を設けたものがあり、ワイヤ環は、抜止体と該抜止体から突出した環状ワイヤとを有したものであり、環状ワイヤを工具に設けた取付孔に挿通して、抜止体で抜け止めし、環状ワイヤに第２フックを係合するようにしている（例えば特許文献３）。
【先行技術文献】
【特許文献】
【０００４】
【特許文献１】特開２０１２−１６６２８０号公報
【特許文献２】実公平２−４８２２１号公報
【特許文献３】特開２０１４−１５９０６１号公報
【発明の概要】
【発明が解決しようとする課題】
【０００５】
しかし、従来では、前者の場合、特に工具の取付孔を設ける部分の厚みが大きい場合には、取付孔に二重リングを挿入係合することが困難になり、二重リングの取り付け及び取り外しが非常に面倒で、工具を落下防止具に簡単に連結したり連結を外したりすることができなかった。
また、後者の場合は、使用頻度が多くなると、環状ワイヤが擦れて切れることがあり、これによって工具が落防止具から不測に外れるおそれがあった。
【０００６】
本発明は上記問題点に鑑み、工具を取付孔を介して簡単に連結したり連結を外したりすることができ、しかも、不測に外れるおそれなく工具を確実に連結しておくことができる工具の落下防止具を提供することを目的としている。
【課題を解決するための手段】
【０００７】
本発明における課題解決のための具体的手段は、次の通りである。
この技術的課題を解決する本発明の技術的手段は、作業者側に連結される第１フック具５と、工具４側に連結される第２フック具６と、第１フック具５と第２フック具６とを連結する索条部材８とを備えた工具の落下防止具において、
前記第２フック具６と工具４との間に介在されるロックリング４１が設けられ、ロックリング４１は、工具４に設けた取付孔１６に挿入可能な一対のフック部４５を有し、一対のフック部４５は、その先端部４５ａ同士が閉じてリング状になる閉鎖状態Ｘと先端部４５ａ同士が離間して開く開放状態Ｙとに開閉自在であって、ロックリング４１に第２フック具６を係合すると閉鎖状態Ｘにロックされるように、互いに連結されている点にある。また、本発明の他の技術的手段は、作業者側に連結される第１フック具５と、工具４側に連結される第２フック具６と、第１フック具５と第２フック具６とを連結する索条部材８とを備えた工具の落下防止具において、
前記第２フック具６と工具４との間に介在されるロックリング４１が設けられ、ロックリング４１は、工具４に設けた取付孔１６に挿入可能なフック部４５とフック部４５の基部側に設けた枢支部４６と枢支部４６から突出した連動部４７とを有する一対のリング構成体４３を備え、一対のリング構成体４３のフック部４５は互いに逆方向に折曲する円弧
状に形成され、一対の連動部４７に挿通孔４８が対応して設けられており、
一対のフック部４５が、その先端部４５ａ同士が重合してリング状になる閉鎖状態Ｘと先端部４５ａ同士が離間して開く開放状態Ｙとに開閉し、かつ一対の連動部４７の挿通孔４８に第２フック具６を係合すると閉鎖状態Ｘにロックされるように、前記枢支部４６同士が支軸５０廻りに揺動自在に枢支されている点にある。
【０００８】
また、本発明の他の技術的手段は、前記一対のリング構成体４３は、ステンレスによりそれぞれ板状に形成されており、一対の枢支部４６同士が板厚方向に重合されて支軸５０廻りに揺動自在に枢支されている点にある。
また、本発明の他の技術的手段は、前記索条部材８は、伸縮自在の螺旋コードで構成され、前記第２フック具６は、フック１７とフック１７の開口部を開閉自在に閉鎖する閉鎖片１８とを有する具本体２０と、具本体２０に連結された連結リング２２とを備え、連結リング２２が索条部材の端部に連結され、フック１７を前記ロックリング４１に係合すると、閉鎖片１８でフック１７の開口部が閉鎖されるように構成されている点にある。
【発明の効果】
【０００９】
本発明によれば、工具にロックリングを取り付ける場合、一対のフック部を開放状態にしてその先端部同士を離間させることにより、取付孔を設けた部分が相当分厚い工具に対してもフック部を取付孔に容易に挿入係合することができるし、一対のフック部を取付孔から容易に取り外すことができる。
また、取付孔にフック部を挿入した後に、一対のフック部を閉鎖状態にしてロックリングに第２フック具を係合させると、一対のフック部はその先端部同士が閉じた閉鎖状態にロックされるため、工具からフック部が不測に外れるのを防止できる。
【００１０】
従って、ロックリングにより落下防止具に工具を簡単に連結したり連結を外したりすることができるし、落下防止具に工具を不測に外れるおそれがなく確実に連結しておくことができる。
【図面の簡単な説明】
【００１１】
【図１】本発明の第１実施形態を示す落下防止具の全体正面図である。
【図２】同落下防止具で工具を腰ベルトに連結した状態の斜視図である。
【図３】同ロックリングの開放状態の正面図である。
【図４】同ロックリングの平面図である。
【図５】同ロックリングの正面図である。
【図６】同ロックリングの左側面図である。
【図７】同ロックリングの右側面図である。
【図８】同ロックリングの底面図である。
【図９】同ロックリングの背面図である。
【図１０】同図５のＡ−Ａ線断面図である。
【図１１】第２実施形態を示す落下防止具の正面図である。
【図１２】同ロックリングの開放状態の正面図である。
【発明を実施するための形態】
【００１２】
以下、本発明の実施の形態を図面に基づいて説明する。
図１〜図１０は本発明の一実施形態を示している。図１〜図２において、工具の落下防止具１は、作業者の腰ベルト３（作業者側）に連結される第１フック具５と、工具４に連結される第２フック具６と、第１フック具５と第２フック具６とを連結する細長い索条部材８とを備えている。索条部材８は伸縮自在の螺旋コードにより構成され、索条部材８の一端部に第１フック具５が連結され、索条部材８の他端部に第２フック具６が連結されている。
【００１３】
ここで、落下防止具１が取り付けられる腰ベルト３（安全帯）は、図２に示すように、作業者の腰に着脱自在に装着されるベルト本体１３を備え、ベルト本体１３に、止輪１４が突設されると共に、ハンマー、モンキーレンチ、ドライバー、ペンチ、電気ドリル等の複数の工具４を収納保持する複数の工具サック１５が取り付けられている。工具４には落下防止具１に連結するための取付孔１６が設けられている。
【００１４】
第１フック具５は、所謂ナスカンと称される金具により構成されており、この第１フック具５は、フック１７とフック１７の開口部を開閉自在に閉鎖する閉鎖片１８とを有する具本体２０と、具本体２０に取付軸２１廻りに回転自在に支持された連結リング２２とを備え、閉鎖片１８は弾性線材によりリング状に形成されていてフック１７の開口部を閉じる方向（図の矢印ａ方向）に付勢力を生じるようにその両端部が具本体２０に互いにずらされて係合されている。第１フック具５はフック１７を介して作業者の腰ベルト３の止輪１４に着脱自在に連結されている。
【００１５】
第２フック具６は、第１フック具５の場合と同様に、所謂ナスカンと称される金具により構成されており、フック１７とフック１７の開口部を開閉自在に閉鎖する閉鎖片１８とを有する具本体２０と、具本体２０に取付軸２１廻りに回転自在に支持された連結リング２２とを備え、閉鎖片１８は弾性線材によりリング状に形成されていてフック１７の開口部を閉じる方向に付勢力を生じるようにその両端部が具本体２０に互いにずらされて係合されており、第２フック具６のフック１７を後述するロックリング４１に係合すると、閉鎖片１８でフック１７の開口部が閉鎖されるように構成されている。第２フック具６はフック１７により後述するロックリング４１を介して工具４に着脱自在に連結されている。
【００１６】
索条部材８を構成する螺旋コードは、多数の細いステンレス線を撚り合わせた芯線の周りをポリウレタン製の被覆体で被覆して螺旋状に巻回してなり、長手方向に引っ張ることにより、弾性変形によって５〜８倍程度に伸長し、その引張力を解除することによって元の縮小した状態に戻るようになっている。
索条部材８の一端部に第１ループ部３３が設けられ、他端部に第２ループ部３４が設けられ、第１ループ部３３が第１フック具５の連結リング２２に鎖状に繋がれ、これにより、索条部材８の一端部と第１フック具５とが屈曲自在に連結されている。第２ループ部３４が第２フック具５の連結リング２２に鎖状に繋がれ、これにより、索条部材８の他端部と第２フック具６とが屈曲自在に連結されている。
【００１７】
前記索条部材８の第１ループ部３３及び第２ループ部３４は、螺旋コードの端部側を２つ折り状に折り曲げ、そのリング状の折曲部分を残して、その折曲端部と折曲基部とに金属製の筒状体３６を外嵌してかしめる（圧着する）ことにより形成されている。筒状体３６上に柔軟な合成樹脂製の被覆筒体３７が外嵌されている。
前記第２フック具と工具４との間に介在されるロックリング４１が設けられている。
【００１８】
図１及び図３〜図１０において、ロックリング４１は、一対のリング構成体４３を備えている。各リング構成体４３は、ステンレスによりそれぞれ板状に形成されており、工具４に設けた取付孔１６に挿入可能なフック部４５とフック部４５の基部側に設けた枢支部４６と枢支部４６からフック部４５とは反対側に突出した連動部４７とを一体に有し、各リング構成体４３のフック部４５、枢支部４６及び連動部４７は連続した板状に形成され、一対のリング構成体４３は左右に線対称であって、同一形状のリング構成体４３を左右及び表裏が逆になるように反転させれば他のリング構成体４３を構成できるようになっている。一対のリング構成体４３のフック部４５は互いに逆方向に折曲するやや前後に扁平になった円弧状に形成され、その先端部４５ａは先端に行くに従って徐々に小幅になる円弧状に形成されており、取付孔１６に挿入し易くなっている。一対の連動部４７に挿通孔４８が対応して設けられている。
【００１９】
前記一対の枢支部４６同士が板厚方向に重合されて、ボルトナット４９で軽く締め付け固定されており、このボルトナット４９のボルト軸で構成される支軸５０廻りに揺動自在に枢支され、一対のフック部４５が、その先端部４５ａ同士が重合してリング状になる閉鎖状態Ｘと先端部４５ａ同士が離間して開く開放状態Ｙとに開閉し、かつ一対の連動部４７の挿通孔４８に第２フック具を係合すると閉鎖状態Ｘにロックされるようになっている。
【００２０】
而して、ロックリング４１は、工具４に設けた取付孔１６に挿入可能な一対のフック部４５を有し、一対のフック部４５は、その先端部４５ａ同士が閉じてリング状になる閉鎖状態Ｘと先端部４５ａ同士が離間して開く開放状態Ｙとに開閉自在であって、ロックリング４１に第２フック具６を係合すると閉鎖状態Ｘにロックされるように、互いに連結され
ている。
【００２１】
前記第１実施形態によれば、例えば高所で作業をする場合、作業者の腰に装着した腰ベルト３の止輪１４に、第１フック具５のフック１７を係合することにより、複数の落下防止具１をそれぞれ第１フック具５を介して連結し、複数の落下防止具１の第２フック具６をハンマー、モンキーレンチ、ドライバー、ペンチ、電気ドリル等の複数の工具４にそれぞれロックリング４１を介して連結し、その複数の工具４を腰ベルト３の工具サック１５に収納保持しておく。
【００２２】
そして、作業をする際には、所望の工具４を工具サック１５から取り出して、該工具４を手に持って作業をすればよい。この際には、索条部材８が長手方向に引っ張られて、弾性変形によって５〜８倍程度伸長するので、手に持った工具４でスムーズに作業を行うことができる。
このとき、工具４が不測に手から外れることがあっても、工具４は索条部材８で作業者の腰ベルト３に連結されているため、工具４が高所から大きく落下することを確実に防止できる。
【００２３】
そして、索条部材８の他端部に工具４を連結するために、工具４にロックリング４１を取り付ける場合には、図３に示すように、一対のフック部４５を開放状態Ｙにしてその先端部４５ａ同士を離間させることにより、取付孔１６を設けた部分が相当分厚い工具４に対してもフック部４５を取付孔１６に容易に挿入係合することができるし、一対のフック部４５を取付孔１６から容易に取り外すことができる。
【００２４】
また、取付孔１６にフック部４５を挿入した後に、一対のフック部４５を閉鎖状態Ｘにして、ロックリング４１に第２フック具６を係合させると、第２フック具６の閉鎖片１８でフック１７の開口部が閉鎖され、一対のフック部４５はその先端部４５ａ同士が閉じた閉鎖状態Ｘにロックされるため、工具４からフック部４５が不測に外れるのを防止できる。
【００２５】
従って、ロックリング４１により落下防止具１に工具４を簡単に連結したり連結を外したりすることができるし、落下防止具１に工具４を不測に外れるおそれがなく確実に連結しておくことができる。
図１１及び図１２は、第２実施形態を示し、ロックリング４１の形状を変更し、一対のフック部４５を、前記第１実施形態の場合よりも大きな円弧状に形成し、取付孔１６を設けた部分の厚みが、例えば図２に示すドライバーのようにより一層大きい工具４に対してもフック部４５を容易に挿入係合できるようにしたものである。その他の点は前記第１実施形態の場合と同様の構成である。
【００２６】
なお、前記実施形態では、ロックリング４１は、一対のフック部４５が、その先端部４５ａ同士が重合してリング状になる閉鎖状態Ｘなるようにしているが、これに代え、一対のフック部４５の先端部４５ａ同士が当接又は接近して閉塞状態になるようにしてもよい。
また、前記実施形態では、ロックリング４１は、一対のリング構成体４３の連動部４７が枢支部４６からフック部４５とは反対側に突出されているが、これに代え、一対のリング構成体４３の連動部４７を枢支部４６からフック部４５側に突出させるようにしてもよいし、枢支部４６から左右方向やその他の方向に突出させ又は厚み方向に折曲突出させるようにしてもよい。
【００２７】
また、前記実施形態では、ロックリング４１は、一対の枢支部４６同士が支軸５０廻りに揺動自在に枢支されて、一対のフック部４５が閉鎖状態Ｘと開放状態Ｙとに開閉自在になっているが、これに代え、例えば、ロックリング４１の一方のフック部４５側と他方のフック部４５側とを相対的に摺動自在に支持し、一方側に摺動させると一対のフック部４５が閉鎖状態Ｘになり、他方側に摺動させると開放状態Ｙになるように構成してもよい。
【００２８】
また、前記実施形態では、索条部材８は伸縮自在の螺旋コードで構成されているが、これに代え、伸縮自在のゴム紐、チェーンや線状コードその他で構成するようにしてもよい。
また、前記実施形態では、第１フック具５及び第２フック具６は所謂ナスカンと称され
る金具により構成しているが、これに代え、第１フック具５又は第２フック具６を、より簡単な構造の合成樹脂製のフックその他で構成するようにしてもよい。
【００２９】
なお、前記実施形態のロックリング４１は、工具の落下防止具以外のバックやキーホルダその他の連結用金具としても使用可能である。
【符号の説明】
【００３０】
１      落下防止具
５      第１フック具
６      第２フック具
８      索条部材
１６    取付孔
４１    ロックリング
４３    リング構成体
４５    フック部
４５ａ  先端部
４６    枢支部
４７    連動部
４８    挿通孔
５０    支軸
Ｘ      閉鎖状態
Ｙ      開放状態
【図１】
2018001360.tif 000003
【図２】
2018001360.tif 000004
【図３】
2018001360.tif 000005
【図４】
2018001360.tif 000006
【図５】
2018001360.tif 000007
【図６】
2018001360.tif 000008
【図７】
2018001360.tif 000009
【図８】
2018001360.tif 000010
【図９】
2018001360.tif 000011
【図１０】
2018001360.tif 000012
【図１１】
2018001360.tif 000013
【図１２】
2018001360.tif 000014